(57)【要約】【課題】メタデータによる検索の処理時間を軽減するとともに、利用者がメタデータを用いた編集を容易にする。【解決手段】本発明の映像処理システムは、メタデータの処理対象を指定するための処理対象指定メタデータを記録するための領域と、映像データの属性を表すメタデータであり、前記処理対象指定メタデータと関連付けられた映像記述メタデータを記録する領域とを備えたメタデータ記録形式を記録するメタデータ記録手段を備える。さらに、メタデータと映像データが関連付けされ、その映像データに対して記録再生処理を施す映像処理装置を含み、前記メタデータと前記メタデータの処理対象を指定するための処理対象指定メタデータを入力する映像記述メタデータ入力手段と、前記映像記述メタデータと前記処理対象指定メタデータとを関連付ける処理対象指定メタ生成手段とを備える。【選択図】図１
2010252070.tif 000002
【特許請求の範囲】
【請求項１】
メタデータの処理対象を指定するための処理対象指定メタデータを記録するための領域と、映像データの属性を表すメタデータであり、前記処理対象指定メタデータと関連付けられた映像記述メタデータを記録する領域とを備えたメタデータ記録形式により記録媒体にメタデータを記録するメタデータ記録手段を備えるメタデータ処理装置及び映像処理装置及び映像処理システム。
【請求項２】
さらに、前記映像記述メタデータを入力するための映像記述メタデータ入力手段と、前記映像記述メタデータの処理対象を指定する処理対象指定メタデータを入力するための処理対象指定メタデータ入力手段と、前記映像記述メタデータと前記処理対象指定メタデータとを関連付ける処理対象指定メタ生成手段とを備えた請求項１記載のメタデータ処理装置及び映像処理装置及び映像処理システム。
【請求項３】
メタデータの処理対象を指定するための処理対象指定メタデータを記録するための領域と、映像データの属性を表すメタデータであり、前記処理対象指定メタデータと関連付けられた映像記述メタデータを記録する領域とを備えたメタデータ記録形式により記録媒体に記録されたメタデータを再生処理するためのメタデータ再生手段と、記録媒体に記録された前記処理対象指定メタデータに関連付けられた前記映像記述メタデータに処理を限定するための処理対象指定メタ処理手段とを備えたメタデータ処理装置及び映像処理装置及び映像処理システム。
【請求項４】
さらに、前記映像記述メタデータ及び前記処理対象指定メタデータを表示するためのメタデータ表示手段を備え、メタデータ表示手段は、前記処理対象指定メタ処理手段により処理された前記映像記述メタデータと前記処理対象指定メタデータとを表示する請求項３記載のメタデータ処理装置及び映像処理装置及び映像処理システム。
【請求項５】
さらに、前記処理対象指定メタデータを入力するための処理対象指定メタ選択手段を備え、前記処理対象指定メタ処理手段は、前記処理対象指定メタデータを前記処理対象指定メタ選択手段により入力されたデータに変更する手段を備え、メタデータ記録手段は、前記処理対象指定メタ処理手段による変更後の処理対象指定メタデータを記録する請求項４記載のメタデータ処理装置及び映像処理装置及び映像処理システム。
【請求項６】
さらに、記録媒体に記録された映像データを再生するための映像再生手段を備える請求項５記載のメタデータ処理装置及び映像処理装置及び映像処理システム。
【請求項７】
さらに、映像データを入力するための映像入力手段と、前記映像入力手段により入力した映像データを記録媒体に記録するための映像記録手段とを備えた請求項２記載の映像処理装置及び映像処理システム。
【請求項８】
さらに、記録媒体に記録されたメタデータを再生するためのメタデータ再生手段と、記録媒体に記録された処理対象指定メタデータに関連付けられた前記映像記述メタデータに処理を限定するための処理対象指定メタ処理手段とを備えた請求項２記載のメタデータ処理装置及び映像処理装置及び映像処理システム。
【請求項９】
さらに、メタデータ記録手段は、記録媒体に記録されたメタデータを再生し、新たな処理対象指定メタデータと、新たな処理対象指定メタデータに関連付けられた映像記述メタデータを追記して記録媒体に記録する請求項２記載のメタデータ処理装置及び映像処理装置及び映像処理システム。
【請求項１０】
前記映像記述メタデータには、映像データの名称を表すクリップ名と、メタデータを記録した際の日時を表す操作日時のうちいずれか1つ以上を含み、複数の処理対象指定メタデータに対応した前記映像記述メタデータを記録する請求項９記載のメタデータ処理装置及び映像処理装置及び映像処理システム。
【請求項１１】
前記映像記述メタデータには、映像データの名称を表すクリップ名と、メタデータを記録した際の日時を表す操作日時のうちいずれか1つ以上を含み、複数の処理対象指定メタデータに対応した前記映像記述メタデータから、
処理対象指定メタ選択手段により入力した処理対象指定メタデータに対応した映像記述メタデータをメタデータ表示手段に表示する請求項５記載のメタデータ処理装置及び映像処理装置及び映像処理システム。
【請求項１２】
前記映像記述メタデータには、映像データ中の任意の位置に関連付けられたリンクポイントを含む請求項９記載のメタデータ処理装置及び映像処理装置及び映像処理システム。
【請求項１３】
前記映像記述メタデータには、映像データ中の任意の位置に関連付けられたリンクポイントを含み、リンクポイントに基づいて、リンクポイントに関連付けられている位置の映像データを参照する請求項８記載のメタデータ処理装置及び映像処理装置及び映像処理システム。
【請求項１４】
前記処理対象指定メタ処理手段は、記録媒体に記録されたメタデータに対応する映像データと、前記処理対象指定メタデータに対応した映像記述メタデータの１つであるリンクポイントに基づいて決定する再生開始点及び再生終了点とからプレイリストを作成する請求項１２記載のメタデータ処理装置及び映像処理装置及び映像処理システム。
【発明の詳細な説明】
【技術分野】
【０００１】
本発明は、撮影映像等の映像データに関連付けられて記録するメタデータに対して記録及び変更処理を行うメタデータ処理装置、映像処理装置及び映像処理システムに関する。
【背景技術】
【０００２】
近年、光ディスクや、半導体メモリなどのランダムアクセス可能な記録媒体に、映像や音声データをファイル化して記録する装置が一般的になり、例えば、放送局や映像制作会社などにおいても、このような記録媒体を備えた編集装置を利用して映像編集作業などが行なわれている。このような映像編集作業を行なうため、映像や音声データなどのコンテンツデータは、これらコンテンツの付加情報であるメタデータとともに記録媒体に記録され、メタデータを利用して編集作業等の効率化が図られている。
【０００３】
このような状況を背景として、記録媒体に記録された映像や音声データ（素材）に関する付加情報としてのメタデータを記録する手法が提案されている（例えば、特許文献１を参照）。
【０００４】
放送局や映像制作会社などにおいては、映像及び音声等（以下、適宜、素材と呼ぶ）を収録し、これらの素材を編集、加工して放送用の番組が制作され、さらに、この番組の映像や音声データが記録媒体に記録された状態で配布又は保管される。このような素材の収録工程、編集工程、保管工程等のそれぞれの処理工程において、素材を詳細に識別するための付加情報も記録媒体に記録され、素材の各処理に利用されている。また、このような付加情報としてメタデータがある。メタデータは、例えば、収録時刻、収録ＩＤ（ＩＤｅｎｔｉｆｉｅｒ、識別情報）、収録題目、撮影者名など、取材や収録によって得られた素材を識別するために必要な情報を記述したデータである。
【０００５】
上述したように、メタデータは、素材となる各データ（以下、素材データと呼ぶ）を記録媒体に記録する収録工程において、素材データとともに記録媒体に記録される。また、素材に付加するメタデータとしては、次に示すような二種類のメタデータがある。その一つの種類として、企画工程であらかじめ決定されているメタデータがあり、このメタデータには、撮影開始、終了時間、撮影場所（地名）、撮影者などの情報が含まれる。他の種類としては、撮影と同時に生成されて記録媒体に記録されるメタデータがあり、このメタデータには、ＧＰＳ（Ｇｌｏｂａｌ  Ｐｏｓｉｔｉｏｎｉｎｇ  Ｓｙｓｔｅｍ）で検出される位置情報（緯度、経度、高度）や時刻情報、収録場所の地名などの情報が含まれる。以上のように、収録工程で素材データとともに記録媒体に記録されたメタデータは、素材と関連づけられて後工程で利用され、特に、検索における操作性や利便性の向上に有効な手段である。
【０００６】
一方、これらのメタデータは、検索における操作性や利便性の向上に有効である。しかしながら、これらのメタデータを詳細に記録すれば、データ量が膨大になり、それにともない、記録されたメタデータを検索する処理負荷も増大する。また、利用者においても、例えば、大量のメタデータが表示され所望の映像データの検索が困難である等、所望のメタデータや映像データの検索性が劣化することになる。この課題に対して、例えば、特許文献２ではメタデータ要約情報（プロファイル）に基づいて、検索するメタデータを制限することにより検索負荷の低減を図る技術を開示している。
【先行技術文献】
【特許文献】
【０００７】
【特許文献１】特開２００１−２９２４１１号公報
【特許文献２】特開２００４−２４７８４４号公報
【発明の概要】
【発明が解決しようとする課題】
【０００８】
しかしながら、特許文献１や特許文献２に開示された従来の構成は、例えば企画工程、収録工程や編集工程にてメタデータを記録する場合、メタデータがどの工程にて記録されたものか不明であるため、例えば、利用者がどのメタデータを参照してよいかを特定するのに時間がかかる課題がある。また、編集工程等において、メタデータの候補が複数ある場合には、複数の候補を同時に記録できず、メタデータの操作が困難である課題がある。
【０００９】
上記課題に鑑みて本発明の映像処理装置及び映像処理システムは、メタデータによる検索の処理時間を軽減するとともに、利用者が所望の映像データを検索しやすくする等、メタデータ操作を利用した編集を容易にすることを目的とする。
【課題を解決するための手段】
【００１０】
上述した課題を解決するために、本実施の形態の映像処理システムは、メタデータの処理対象を指定するための処理対象指定メタデータを記録するための領域と、映像データの属性を表すメタデータであり、前記処理対象指定メタデータと関連付けられた映像記述メタデータを記録する領域とを備えたメタデータ記録形式を記録するメタデータ記録手段を備える。
【００１１】
さらに、前記映像記述メタデータを入力するため映像記述メタデータ入力手段と、前記映像記述メタデータの処理対象を指定する処理対象指定メタデータを入力するための処理対象指定メタデータ入力手段と、前記映像記述メタデータと前記処理対象指定メタデータとを関連付ける処理対象指定メタ生成手段とを備える。
【００１２】
さらに、記録媒体に記録されたメタデータを再生処理するためのメタデータ再生手段と、記録媒体に記録された前記処理対象指定メタデータに関連付けられた前記映像記述メタデータに処理を限定するための処理対象指定メタ処理手段とを備える。
【００１３】
さらに、前記映像記述メタデータ及び前記処理対象指定メタデータを表示するためのメタデータ表示手段を備え、メタデータ表示手段は、前記処理対象指定メタ処理手段により処理された前記映像記述メタデータと前記処理対象指定メタデータとを表示する。
【００１４】
さらに、前記処理対象指定メタデータを入力するための処理対象指定メタ選択手段を備え、前記処理対象指定メタ処理手段は、前記処理対象指定メタ処理手段は、前記処理対象指定メタデータを前記処理対象指定メタ選択手段により入力されたデータに変更する手段を備え、メタデータ記録手段は、前記処理対象指定メタ処理手段による変更後の処理対象指定メタデータを記録する。
【００１５】
さらに、記録媒体に記録された映像データを再生するための映像再生手段を備える。
【００１６】
さらに、映像データを入力するための映像入力手段と、前記映像入力手段により入力した映像データを記録媒体に記録するための映像記録手段とを備える。
【００１７】
さらに、記録媒体に記録されたメタデータを再生するためのメタデータ再生手段と、記録媒体に記録された処理対象指定メタデータに関連付けられた前記映像記述メタデータに処理を限定するための処理対象指定メタ処理手段とを備える。
【００１８】
さらに、メタデータ記録手段は、記録媒体に記録されたメタデータを再生し、新たな処理対象指定メタデータと、新たな処理対象指定メタデータに関連付けられた映像記述メタデータを追記して記録媒体に記録する。
【００１９】
さらに、前記映像記述メタデータには、映像データの名称を表すクリップ名と、メタデータを記録した際の日時を表す操作日時のうちいずれか1つ以上を含み、複数の処理対象指定メタデータに対応した前記映像記述メタデータを記録する。
【００２０】
さらに、前記映像記述メタデータには、映像データ中の任意の位置に関連付けられたリンクポイントを含む。
【００２１】
さらに、前記処理対象指定メタ処理手段は、記録媒体に記録されたメタデータに対応する映像データと、記録された処理対象指定メタデータに対応した映像記述メタデータの１つであるリンクポイントに基づいて決定する再生開始点及び再生終了点とからプレイリストを作成する。
【発明の効果】
【００２２】
処理対象指定メタデータに基づいて、メタデータによる検索の処理時間を軽減するとともに、利用者が所望の映像データを検索しやすくする映像処理装置を提供することが可能になる。
【図面の簡単な説明】
【００２３】
【図１】本実施例の映像処理システムの構成を示すブロック図
【図２】記録媒体におけるディレクトリ構造の１具体例を示す図
【図３】本実施例のメタデータ間の関連性を示す概念図
【図４】映像制作工程と映像記述メタデータの時間的変化の１具体例を示す図
【図５】クリップに対するメタデータの表示例を示す図
【図６】メタデータ構造の1具体例を示す図
【図７】メタデータファイルの記録形式の1具体例を示す図
【図８】メタデータファイルの記録形式の1具体例を示す図
【図９】メタデータファイルの記録形式の1具体例を示す図
【図１０】企画工程におけるシナリオファイルの記録形式の１具体例を示す図
【図１１】プレイリストファイルの記録形式の１具体例を示す図
【図１２】処理対象指定メタデータの入力方法の１具体例を示す図
【図１３】シナリオデータと映像データを関連付けするための入力画面の１具体例を示す図
【図１４】収録工程におけるメタデータファイルの１具体例を示す図
【発明を実施するための形態】
【００２４】
以下、図面を参照しながら本発明を実施するための最良の形態について説明する。
【実施例】
【００２５】
図１は、本発明の実施例における映像処理システムの構成を示すブロック図である。本実施例では、映像データを記録媒体に記録するための映像記録装置と、映像及びメタデータを記録するための記録媒体と、メタデータを記録媒体に記録し、変更するためのメタデータ記録装置と、記録媒体に記録された映像データとメタデータを再生するための再生装置とを有する。
【００２６】
このような映像処理システムは、映像制作事業者などを対象とした業務用途や編集を行う民生用途を目的とするシステムであり、講演会、結婚式会場、音楽コンサートや演芸会場での行事の撮影、映像編集などに利用されている。例えば、講演会、結婚式会場において、カメラで取得した映像データは、映像記録装置を介して着脱可能な記録媒体に記録される。その後、編集室内において、他の映像データとともに、この記録媒体に記録された映像データを用いて編集作業が行なわれる。
【００２７】
図１に示すように、本映像処理システムは、映像データを記録媒体に記録するための映像記録装置１０１と、映像データ及びメタデータを記録するための記録媒体１００と、メタデータを記録媒体に記録あるいは変更するためのメタデータ記録装置１０２と、記録媒体に記録された映像データとメタデータとを再生するための再生装置１０３とから構成される。本実施例における大きな記録再生処理の流れとしては、まず、映像記録装置１０１にて映像データを記録媒体に記録し、メタデータ記録装置１０２にて記録媒体１００にメタデータを記録あるいは、記録媒体１００に記録済みのメタデータを変更する。次に、再生装置１０３にて記録媒体１００に記録された映像データとメタデータとを再生する。
【００２８】
本実施例では、映像記録媒体１００は、半導体メモリやハードディスクドライブや光ディスク等ランダムアクセス可能な媒体であればよい。本実施例では、映像記録媒体１００に半導体メモリを用いた例として説明する。半導体メモリは、ファイルとして記録再生可能なようにＦＡＴ等のファイルシステムにて管理されていればよい（一般的な技術であるため具体的な説明は省略する）。
【００２９】
本実施例におけるクリップとは、映像データの記録開始から終了までの１連続の記録区間に対応する映像データとメタデータとの総称を指し、メタデータは、クリップに対応付けされる。また、シーンとは、映像制作の企画段階での映像の区切り（場面）を表し、本実施例では、シーンを決定した後に収録を行い、クリップを収録することを想定している。したがって、例えば、同じシーンを繰り返し記録する場合には、１つのシーンに対して複数のクリップが記録される。
【００３０】
映像記録装置１０１は、記録するための映像データを入力する映像入力手段１１０と、映像入力手段１１０にて入力された映像データを記録媒体１００に記録するための映像記録手段１１１とを備える。本実施例では、映像記録装置１０１は、一般的に制作分野等で使用されている映像記録装置及びカメラレコーダであればよい。本実施例での映像記録装置１０１においては広く一般的に知られている技術で実現可能であるため具体的な説明は省略する。
【００３１】
メタデータ記録装置１０２は、記録する映像記述メタデータを入力／選択するための映像記述メタデータ入力手段１２０と、映像記述メタデータ入力手段１２０にて入力された映像記述メタデータを記録媒体１００に記録する記録形式に変換するための映像記述メタデータ生成手段１２１と、処理対象指定メタデータを入力及び選択するための処理対象指定メタ入力手段１２２と、処理対象指定メタ入力手段１２２にて入力された処理対象指定メタデータを記録する記録形式に変換するとともに、処理対象指定メタデータを生成／変更するための処理対象指定メタ生成手段１２２と、映像記述メタデータ生成手段１２１及び処理対象指定メタ生成手段１２２にて生成されたメタデータを記録媒体１００に記録するためのメタデータ記録手段１２３とを備える。ここで、映像記述メタデータとは、映像に関する記述的なメタデータであり、例えば、クリップ名、クリップ番号、リンクポイント等の映像データに対する属性情報を指す。また、メタデータは、記述的なメタデータ（記述メターデータ）と、構造的なメタデータ（構造メタデータ）とに分類することができる。構造メタデータは、ビデオフォーマット情報や、コーデック情報等の再生に必要な素材の構造を表すメタデータを指す。本実施例では、あらかじめ決められたビデオフォーマット等を用いる例を説明するため構造メタデータを記録しない例を用いて説明するが、適宜、必要に応じて構造メタデータを記録してもよい。さらに、処理対象指定メタデータとは、すべての映像記述メタデータにおいて、映像記述メタデータに関する処理（例えば、検索、表示）を限定するためのメタデータである。また、映像記述メタデータと処理対象指定メタデータとを総称して単にメタデータと呼ぶことにし、処理対象指定メタデータは、適宜、処理対象指定メタと省略する。
【００３２】
本実施例では、メタデータ記録装置１０２は、例えば、コンピュータ上のプログラムとして開発される。上記プログラムは、コンピュータ上で動作し、記録媒体１００に記録されているメタデータを読み出し、新たなメタデータを追記したり、既存のメタデータの内容を変更したりして、記録媒体１００に記録する。なお、映像記録装置１０１とメタデータ記録装置１０２を１つの装置として実現してもよい。
【００３３】
再生装置１０３は、記録媒体１００に記録されたメタデータを再生するためのメタデータ再生手段１３２と、メタデータ再生手段１３２にて再生されたメタデータの中から処理対象指定メタデータを抽出し、再生処理（例えば、表示）する映像記述メタデータを限定するための処理対象指定メタ処理手段１３１と、処理対象指定メタ処理手段１３１にて限定された映像記述メタデータを表示するためのメタデータ表示手段１３０と、記録媒体１００に記録された映像データを再生するための映像再生手段１３３と、映像再生手段１３３にて再生された映像データを利用者に提示するために映像を表示する映像表示手段１３４と、映像記述メタデータの再生処理（例えば、表示）対象とする処理対象指定メタデータを選択する処理対象指定メタ選択手段１３５とを備える。本実施例では、再生装置１０３は、一般的に広く使用されている映像再生装置（映像再生手段１３３及び映像表示手段１３４）に対してメタデータ再生手段１３２と、対象指定メタ処理手段１３１とメタデータ表示手段１３０と処理対象指定メタ選択手段１３５とを追加する構成とする。映像再生装置（映像再生手段１３３及び映像表示手段１３４）に関しては一般的な技術で実現可能であるため具体的な説明は省略する。
【００３４】
以上のように構成された本映像処理システムにおいて、まず、映像記録装置１０１における映像データの記録の基本的な処理の流れを説明する。
【００３５】
映像記録装置１０１において、映像入力手段１１０は、映像データを入力し、入力された映像データを映像記録手段１１１に提供する。例えば、業務用として一般的に利用されるＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）−２９２Ｍにて規格化されているＨＤ−ＳＤＩ（ＨｉｇｈＤｅｆｉｎｉｔｉｏｎ Ｓｅｒｉａｌ Ｄｉｇｉｔａｉｌ Ｉｎｔｅｒｆａｃｅ）を用いて映像データを入力すればよい。
【００３６】
映像記録手段１１１は、映像入力手段１１０から提供された映像データに対して映像フィルタ等の映像処理を施した後、映像記録媒体１００に映像データを映像データファイルとして記録する。映像記録手段１１１では、供給された映像データを圧縮符号化することもできる。圧縮符号化方式としては、例えば、広く利用されているＭＰＥＧ（Ｍｏｖｉｎｇ  Ｐｉｃｔｕｒｅ  Ｅｘｐｅｒｔｓ  Ｇｒｏｕｐ）−２方式や、ＭＰＥＧ−４／ＡＶＣ（Ａｄｖａｎｃｅｄ  Ｖｉｄｅｏ  Ｃｏｄｉｎｇ）方式、あるいは業務用のデジタルＶＴＲ（Ｖｉｄｅｏ  Ｔａｐｅ  Ｒｅｃｏｄｅｒ）の規格の一つであるＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）−３１４Ｍ（ＤＶ−Ｂａｓｅｄ  ２５Ｍ）規格が挙げられる。なお、本発明は、圧縮符号化方式に依存しないため、どのような圧縮符号化方式でも用いることができる。また、映像記録媒体１００に十分な記録容量が確保できる場合には、映像データに対して圧縮符号化を施さなくてもよい。本実施例では、映像データの有効画素の輝度信号と色差信号を順番に並べてファイルとするとする非圧縮ファイル形式にて記録する例として説明する。
【００３７】
次に、メタデータ記録装置１０２におけるメタデータ記録の基本的な処理の流れを説明する。利用者は、メタデータ入力手段１２０を介して、クリップ名や操作日時やリンクポイント等の映像記述メタデータを入力する。さらに、メタデータ入力手段１２０は、入力した映像記述メタデータを映像記述メタデータ生成手段１２１に提供する。映像記述メタデータ生成手段１２１は、提供された映像記述メタデータを記録媒体１００に記録するための形式に変換し、メタデータ記録手段１２３に提供する。映像記述メタデータ生成手段１２１における記録形式についての具体的な説明は後述する。
【００３８】
一方、利用者は、処理対象指定メタ入力手段１２２を介して、利用者が所望する処理対象指定メタデータを入力する。さらに、処理対象指定メタ入力手段１２２は、入力された処理対象指定メタデータを処理対象指定メタ生成手段１２２に提供する。処理対象指定メタ生成手段１２２は、提供された処理対象指定メタデータを記録媒体１００に記録するための形式に変換し、記録形式に変換した処理対象指定メタデータをメタデータ記録手段１２３に提供する。
【００３９】
メタデータ記録手段１２３は、メタデータ生成手段１２１及び処理対象指定メタ生成手段１２２により記録形式に変換された映像記述メタデータ及び処理対象指定メタデータを記録媒体１００に記録する。また、適宜、記録媒体１００に記録されるメタデータを読み出し、追加や修正を行う（具体的な説明は後述する）。
【００４０】
次に、記録媒体１００における記録形式の一例について説明する。図２に記録媒体１００におけるディレクトリ構造の一例を示す。本実施例では、記録媒体１００に映像データとしての映像データファイルと、メタデータとしてのメタデータファイルを記録する。したがって、記録媒体１００におけるディレクトリ構成は、コンテンツディレクトリ２００としての「Ｃｏｎｔｅｎｔ」ディレクトリをトップディレクトリとして、映像データファイルを記録するためのビデオ格納用ディレクトリ２０１としての「Ｖｉｄｅｏ」ディレクトリと、メタデータファイルを記録するためのメタデータ格納用ディレクトリ２０２としての「Ｍｅｔａ」ディレクトリとから構成される。ビデオ格納用ディレクトリ２０１には、例えば、ＣＬＩＰ０００１．ｙｕｖ、ＣＬＩＰ０００２．ｙｕｖ、ＣＬＩＰ０００２．ｙｕｖといった映像データファイルを格納する。メタデータ格納用ディレクトリ２０２には、ＣＬＩＰ０００１．ｘｍｌ、ＣＬＩＰ０００２．ｘｍｌ、ＣＬＩＰ０００３．ｘｍｌといったメタデータファイルを格納する。メタデータファイルは、例えば、ＸＭＬ（ｅＸｔｅｎｓｉｂｌｅ Ｍａｒｋｕｐ Ｌａｎｇｕａｇｅ）形式を利用して記録する。例えば、図８に示すように＜ＣｌｉｐＣｏｎｔｅｎｔ＞と＜／ＣｌｉｐＣｏｎｔｅｎｔ＞の間に各メタデータ（項目と内容）が記載される。例えば、「＜ＣｌｉｐＮａｍｅ＞“スピーチシーン”＜／ＣｌｉｐＮａｍｅ＞」は、クリップ名が「“スピーチシーン”」であることを表す。メタデータファイルの記録形式（ＸＭＬ形式）についての具体的な説明は後述する。
【００４１】
ここで、ファイル名や拡張子は任意の文字列でよく、コンテンツ管理が容易な方法を用いればよい。本実施例では、上述したようにファイル名に「ＣＬＩＰ」に番号を付与した文字列で、映像データファイルの拡張子を．ｙｕｖ、メタデータファイルの拡張子を．ｘｍｌとして説明する。また、映像データファイルに対応するメタデータファイルのファイル名を同じファイル名（拡張子を除く）とすることで、映像データファイルとメタデータファイルの対応付けを行う。すなわち、例えば、映像データファイルＣＬＩＰ０００１．ｙｕｖに対応付けるメタデータのメタデータファイルの名前をＣＬＩＰ０００１．ｘｍｌとする。さらに、本実施例では、ＣＬＩＰ０００１．ｙｕｖとＣＬＩＰ０００１．ｘｍｌとして記録されるクリップを「クリップ１」と呼び、同様にＣＬＩＰ０００２．ｙｕｖとＣＬＩＰ０００２．ｘｍｌとして記録されるクリップを「クリップ２」、ＣＬＩＰ０００３．ｙｕｖとＣＬＩＰ０００３．ｘｍｌとして記録されるクリップを「クリップ３」と呼ぶことにする。
【００４２】
さらに、「Ｍｅｔａ」ディレクトリには、シナリオファイル「ＳｃｅｎａｒｉｏＬｉｓｔ．ｘｍｌ」と、プレイリストファイル「ＰｌａｙＬｉｓｔ．ｔｘｔ」とを含む。これらの詳細は後述する。
【００４３】
次に、再生装置１０３における基本的な再生処理の流れを説明する。記録媒体１００には、映像データファイルとメタデータファイルが記録されており、それぞれの再生動作について説明する。
【００４４】
まず、記録媒体１００に記録された映像データファイルは映像再生手段１３３にて読み出される。映像再生手段１３３は、読み出された映像データに対して映像処理（例えば、フィルタ処理や、あるいは、圧縮符号化されて記録されている場合には復号化等の処理）を施した後、再生表示手段１３４に映像データとして提供する。映像表示手段１３４は、映像再生手段１３３から提供された映像データを、液晶画面等を用いて利用者に提示する。なお、映像表示手段１３４の代わりに、映像データを出力する手段（図示せず）を備え、外部の表示手段（例えば、映像モニタ）に接続する方法でもよい。また、映像再生手段１３３や映像表示手段１３４における映像再生及び表示する方法や、別の1例として示した外部の表示手段に映像を提示する方法は、一般的に広く知られている技術で実現可能であるため具体的な説明を省略する。
【００４５】
次に、記録媒体１００に記録されたメタデータファイルは、メタデータ再生手段１３２により読み出される。メタデータ再生手段１３２は、記録形式（例えば、ＸＭＬ形式）を解釈し、メタデータのマトリクスを作成する。ここで、メタデータのマトリクスとは、例えば、図６に示すようなメタデータの項目を縦軸にして、各クリップを横軸にしたようなメタデータのデータベースを指す。また、メタデータ再生手段１３２は、作成されたメタデータのマトリクスを、処理対象指定メタ処理手段１３１に供給する。処理対象指定メタ処理手段１３１は、供給されたメタデータのマトリクスと、処理対象指定メタ選択手段１３５により選択された処理対象指定メタデータとに基づいて、処理（例えば、表示）される映像記述メタデータを決定する。その後、処理対象指定メタデータと、処理対象として決定した映像記述メタデータとをメタデータ表示手段１３０に提供する。メタデータ表示手段１３０は、提供されたメタデータ（処理対象として決定した映像記述メタデータと処理対象指定メタデータ）をＧＵＩ（Ｇｒａｐｈｉｃａｌ  Ｕｓｅｒ  Ｉｎｔｅｒｆａｃｅ）画面上に表示する（例えば、図５）。なお、メタデータ表示手段１３０の代わりに、例えば、ＧＵＩ画面を多重した映像データとして出力する手段を備え、外部の表示手段（例えば、映像モニタ）に接続する方法でもよい。また、メタデータ表示手段１３０におけるメタデータの表示方法や、外部の表示手段にメタデータ表示画面（ＧＵＩ画面）を多重した映像データを提示する方法は、広く一般的に知られている技術で実現できるので具体的な説明を省略する。なお、処理対象指定メタ選択手段１３５や処理対象指定メタ処理手段１３１等の具体的な処理内容及び処理対象指定メタデータの具体的な説明は後述する。
【００４６】
以上、本実施例における映像データとメタデータの基本的な記録再生動作の流れについて説明した。次に、本発明における処理対象指定メタデータと映像記述メタデータとの関連と、これらのメタデータの役割との概要を説明する。
【００４７】
本発明のメタデータ間の関連を示す概念図を図３に示す。図３（１）は、映像記述メタデータをクリップ名としたときのメタデータファイルと、そのメタデータファイルに対応した表示例を示している。例えば、メタデータファイルには、メタデータファイル（１）に示すような構成のメタデータが記録されているとする。すなわち、処理対象指定メタデータを「ＳＴＥＰ３」とし、処理対象指定メタデータと映像記述メタデータが関連付けられて記録（例えば、「ＳＴＥＰ１」と、クリップ名「“入場シーン１（テイク２）”」）している。ここで、処理対象指定メタデータは、例えば、映像制作工程や制作者等により、あらかじめ文字列と対応付けておく。例えば、図４（１）に示すように映像制作の各工程にしたがって、ＳＴＥＰ１、ＳＴＥＰ２等に対応付ける。この対応付けの定義と、処理対象指定メタデータと映像記述メタデータを関連付けて記録することとにより、ある工程「ＳＴＥＰ１」のときに、メタデータのクリップ名の項目には、「入場シーン１（テイク２）」と記録されたことを示す。なお、処理対象指定メタデータの対応付け（意味づけ）は、適宜制作工程や運用等の用途に合わせて決めればよい。
【００４８】
次に、図３（１）に示すメタデータファイル（１）の場合の再生装置１０３における表示についての概要を説明する。メタデータファイル（１）に記録されているメタデータは、メタデータ再生手段１３２を介して読み出され、処理対象指定メタ処理手段１３１により処理対象指定メタデータと一致するメタデータが表示される。図３（１）の場合には、処理対象指定メタデータが「ＳＴＥＰ３」であるクリップ名「“入場シーン１”」が表示される。これは、処理対象指定メタデータが「ＳＴＥＰ３」であり、「ＳＴＥＰ３」に対応するクリップ名が「“入場シーン１”」であるためである。
【００４９】
図３（２）は、他の映像記述メタデータ（リンクポイント）における表示例である。図３（１）と同様に、処理対象指定メタデータ「ＳＴＥＰ２」に関連付けられた映像記述メタデータが表示される。ここで、各リンクポイント（ＬｉｎｋＰｏｉｎｔ）の先頭の項目（例えば、１番目のリンクポイントにおける「１００ｆｒａｍｅｓ」）は、映像データの先頭からのオフセットを表す。リンクポイントは、例えば、再生装置１０３において映像データにおける上記オフセット値から再生開始する場合等に利用する（具体的な説明は後述する）。
【００５０】
以上のように構成された本映像処理システムにおいて、映像制作工程を映像データの記録から編集、オーサリングまでの処理の流れを各工程に分けて説明する。
【００５１】
本実施例では、映像記述メタデータの１例として、クリップ名、リンクポイント（ＬｉｎｋＰｏｉｎｔ）、操作日時の例を説明する。クリップ名は、クリップの名称を表すメタデータであり、リンクポイント（ＬｉｎｋＰｏｉｎｔ）は、名称と映像データ中の位置を指し示すデータを一組にしたメタデータである。位置を指し示すとは、例えば、映像データファイルの先頭からのフレーム数や、映像データに埋め込まれるタイムコードにより特定のフレーム（映像データ中の特定の時刻）に関連付けられていることである。これは、映像データの１点（通常は１フレーム）を指し示し、利用者の再生指示により任意のリンクポイントに関連付けられた映像データにジャンプして再生する役割がある。また、操作日時は、クリップの記録又はメタデータを記録や変更したときの日付と時刻を表すメタデータである。
【００５２】
なお、映像記述メタデータは、本実施例以外でも同様の効果を発揮する。また、映像制作工程の分類方法も処理対象指定メタデータとして区別できればどのような工程にて分類してもよい。好ましくは、本実施例のように時間軸に基づいて分類する。ここで、例えば、各工程（時間軸）にて作業担当者が別れている場合には、作業担当者毎に処理対象指定メタデータを定義すればよい。
【００５３】
図４に本実施例において１具体例として説明する映像制作工程の流れを示す。本実施例では、映像制作工程は、図４（１）に示すように企画工程、収録工程、仮編集工程、本編集工程、オーサリング工程の順に構成されるものとする。企画工程は、シーン割り等の編集に必要な映像の吟味や収録や編集の計画を立案する工程であり、シナリオ（スケジュール）情報（以下、シナリオデータと呼ぶ）を決定するものとする。ここで、シナリオデータとは、撮影するシーン名や撮影者等のメタデータの入力パターンが記述されたメタデータ郡である。なお、本実施例では、企画工程にてシナリオデータとしてのシーン名を決定する例を説明する。シナリオデータはシナリオファイルとして記録媒体１００に記録する。収録工程は、実際に映像データの収録や撮影を行う工程であり、企画工程で決定された計画通りにシーンを収録する。仮編集工程は、収録工程にて収録した映像データや映像ライブラリ等の以前に収録された映像データに対して不要部を削除する等の仮編集（いわいる粗編集）を施す工程である。本編集工程は、仮編集工程にて仮編集された映像データに対して詳細な調整をする工程であり、例えば、カット編集においては、例えば、１フレーム精度で映像データの編集点の調整を行う。オーサリング工程は、本編集工程にて本編集された映像データを納品者等に配布するために配布用記録媒体へ記録あるいは書き込む工程である。例えば、各記録媒体に対応した規格（例えば、光ディスク媒体の１つであるＤＶＤであれば、ＤＶＤ−Ｖｉｄｅｏ規格等）に準拠するように変換等を施して、配布用記録媒体への記録を行う。
【００５４】
これらの映像制作における各工程は、一般的な映像制作工程を模式化したものであり、これらの工程の中で映像データと、映像データに関連付けられたメタデータとを利用して編集作業が行われる。なお、適宜、仮編集工程と本編集工程とを総称して編集工程と呼ぶ。なお、編集工程では、一般的にはノンリニア編集装置等の編集装置を用いて、映像データに対して編集や加工（例えば、カット編集、映像効果付加等の映像加工）を行うことが一般的である。しかしながら、本実施例では、映像データの編集や加工方式に依存せず、好ましくは、映像データに加工を施さないことである。本実施例では、映像データの加工はしない例として説明するが、編集工程にて、映像データとメタデータの関連付けを保持できる限りにおいて映像データを適宜加工してもよい。編集装置における映像データ加工については、一般的な技術であるため具体的な説明を省略する。なお、映像制作工程では、前工程に戻る作業（いわいる手戻り作業）が発生する場合もある。これは、例えば、本編集工程にて映像データの不具合が発覚した場合には、使用する映像データを変更して仮編集工程から作業をしなおす場合等が挙げられる。このような場合にも、本発明は、処理対象指定メタデータを変更することにより効率的に制作作業を行える利点がある。
【００５５】
次に、映像制作の各工程における処理をメタデータに着目して具体的に説明する。まず、図４（１）に示すように、企画工程はＳＴＥＰ１，収録工程はＳＴＥＰ２、仮編集工程はＳＴＥＰ３、本編集工程はＳＴＥＰ４、オーサリング工程はＳＴＥＰ５といったように映像制作の各工程と処理対象指定メタデータとを対応付ける。なお、映像制作の各工程はより詳細に分けて処理対象指定メタデータと対応付けてもよいし、例えば、映像制作工程により分類するのではなく、担当者等の分類に基づいて処理対象指定メタデータとを対応付けてもよい。図４（２）は、図４（１）の映像制作の各工程における１つのクリップの映像記述メタデータの推移の１例を示す。また、図６に３つのクリップにおけるメタデータ記録構造の１具体例を示す。図６のクリップ１は、図４（２）に示すクリップと対応している。図７は、図６のクリップ１（ＣＬＩＰ０００１）のメタデータファイルの１具体例を示す。同様に、図８は、図６のクリップ２（ＣＬＩＰ０００２）、図９は、図６のクリップ３（ＣＬＩＰ０００３）のメタデータファイルの１具体例を示す。これらの具体例は、オーサリング工程終了後のメタデータファイルの様子を示している。
【００５６】
企画工程におけるシナリオデータとしては、例えば、シーン名と操作日時とが挙げられる。例えば、図４（２）に示す例では、シーン名を「“入場シーン１”」、操作日時（シナリオデータを記録した日時）を２００９年２月３日１９時１２分とする。これは、２００９年２月３日１９時１２分に、シーン名を「“入場シーン１”」とし、シーンデータとして記録したことを表す。このときには、映像データファイルは記録されておらず、メタデータ記録手段１２４は、シナリオデータのみを作成して、シナリオデータとしてのシナリオファイルを記録媒体１００に記録する。ここで、シナリオデータとは、映像記述メタデータの入力を容易にするためのメタデータ郡である。シナリオデータは、各シーンの収録工程以降で必要になる映像記述メタデータを企画工程にて入力し、収録工程以降に、シナリオデータから選択して映像記述メタデータとして記録する目的で利用する。
【００５７】
図１０にシナリオファイルの1具体例を示す。本実施例では、シナリオファイルは、例えば、ＸＭＬ形式を利用して記録し、ファイル名をＳｃｅｎａｒｉｏＬｉｓｔ．ｘｍｌとし、複数のシーンのシナリオデータを１つのシナリオファイルに記録する。図１０において＜Ｓｃｅｎａｒｉｏ＞と＜/Ｓｃｅｎａｒｉｏ＞とで囲まれた部分が1つのシーンのシナリオデータに対応する。また、＜ＳｃｅｎｅＮａｍｅ＞と＜／ＳｃｅｎｅＮａｍｅ＞とに囲まれた部分がシーン名であり、＜Ｄａｔｅ＞と＜／Ｄａｔｅ＞に囲まれた部分が操作日時である。シナリオファイルは、上述の1つのシーンのシナリオデータを複数集めて、＜ＳｃｅｎａｒｉｏＬｉｓｔ＞と＜／ＳｃｅｎａｒｉｏＬｉｓｔ＞とで囲む形式とする。なお、シナリオファイルは、１つのシーンのシナリオデータが認識できればＸＭＬ形式以外でもよく、ファイル名もＳｃｅｎａｒｉｏＬｉｓｔ．ｘｍｌ以外でもよい。また、操作日時は、例えば、２００９年２月３日１９時１２分のことを「２００９／２／３ １９：１２」と年、月、日、時（２４時間表記）、分の順番に記述する形式とする。
【００５８】
次に、収録工程にて記録されるクリップとシナリオデータのシーンとの対応付けについて説明する。例えば、図１０に示す例において、１番目のシーンに対応するシナリオデータ（操作日時：２００９／２／３１９：１２、シーン名：“入場シーン１“）は、１番目に記録されたクリップと対応付ける。この対応付けは、どのような方法でもよく、利用者にシナリオデータのシーン名を提示して選択する方法により記録済みクリップとの対応付けを行ってもよい。また、例えば、同じシーンを繰り返して撮影する場合は、シーンを切り替える入力手段（図示せず）と、テイク１、テイク２のようにテイク番号をインクリメントする手段（図示せず）を備えていればよい。
【００５９】
なお、図４（２）の企画工程におけるＬｉｎｋＰｏｉｎｔ欄の「Ｎｏｎｅ」は、ＬｉｎｋＰｏｉｎｔが付与されていないことを表す。
【００６０】
企画工程におけるメタデータ記録装置１０２のシナリオデータ記録処理について具体的に説明する。企画工程では、利用者がメタデータを入力し、入力したメタデータをシナリオデータとしてのシナリオファイルを記録媒体１００に記録する。
【００６１】
利用者は、映像記述メタデータ入力手段１２０に対して、例えば、シーン名（文字列「“入場シーン１”」等）を入力する。映像記述メタデータ入力手段１２０は、これらの入力された文字列を映像記述メタデータ生成手段１２１に提供し、例えば、「＜ＣｌｉｐＮａｍｅ＞“入場シーン１”＜／ＣｌｉｐＮａｍｅ＞」のようにメタデータ記録形式に変換する。このメタデータ記録形式に変換されたデータは、メタデータ記録手段１２４にて他の入力されたメタデータとまとめられて図１０に示すようなシナリオファイルとして記録媒体１００に記録する。
【００６２】
また、ＬｉｎｋＰｏｉｎｔは、企画工程では映像シーンが記録されておらず、映像シーンを関連付けができない。そのため、本実施例の企画工程では、シナリオデータとしてＬｉｎｋＰｏｉｎｔを記録しない。
【００６３】
収録工程における映像記述メタデータとしては、例えば、クリップ名と操作日時とリンクポイント（ＬｉｎｋＰｏｉｎｔ）とが挙げられる。図４（２）に示す例では、クリップ名については、企画工程のシナリオデータとしてのシーン名「“入場シーン１”」に対して、テイク番号を付加した文字列「“入場シーン１（テイク１）”」と名称変更している。ここで、本実施例では、企画工程におけるシーン名は、記録済みクリップと関連付けられた後、記録クリップのクリップ名に対応付けられる。また、操作日時については、メタデータファイルを記録する日時を記録することとする。また、ＬｉｎｋＰｏｉｎｔについては、「“収録開始”」、「“収録終了”」のような収録における重要なポイントにＬｉｎｋＰｏｉｎｔを付与する。これらは、収録を開始又は終了した時刻に記録した映像データに関連付けられる。例えば、ＬｉｎｋＰｏｉｎｔ「“収録開始”」は、映像記録装置１０１における映像データの記録開始から数秒程度（例えば、１００フレーム）後の映像データの時刻と関連付け、ＬｉｎｋＰｏｉｎｔ「“収録終了”」は、映像記録装置１０１における映像データの記録終了から数秒程度（例えば、１００フレーム）前の映像データの時刻と関連付けることにする。これは、所望の映像の前後数秒程度、のりしろ部分を含んで映像データを記録するのが一般的であることによる。このＬｉｎｋＰｏｉｎｔにおける関連付けにより、映像データ中の開始点及び終了点への検索（映像フレームへの移動）が容易になる。なお、本実施例では、ＬｉｎｋＰｏｉｎｔと映像データとの関連付けは、映像記述メタデータとしてのＬｉｎｋＰｏｉｎｔに映像データファイルの先頭からのフレーム数を含んで記録して関連付けを行うものとする。例えば、図７に示す例における「＜ＬｉｎｋＰｏｉｎｔ ｆｒａｍｅｓ＝１００ ｗｏｒｄ＝“収録開始”／＞」のように記録する。これは、映像データの先頭から１００フレームの位置を「“収録開始”」点とすることを表している。なお、ＬｉｎｋＰｏｉｎｔにおける先頭からのフレーム数をＬｉｎｋＰｏｉｎｔのオフセットと呼ぶことにする。
【００６４】
収録工程におけるメタデータ記録装置１０２のメタデータ記録処理について具体的に説明する。収録工程では、企画工程にて記録されたシナリオファイルに基づきメタデータファイルを作成する第１のステップと、第１のステップにおいて作成されたメタデータファイルに対して収録工程における新たな映像記述メタデータを追記する第２のステップの処理を行う。
【００６５】
第１のステップでは、企画工程にて記録されたシナリオファイルに記録されているシナリオデータを参照し、映像データとシナリオデータとの関連付けを行い、新たにメタデータファイルを作成する。本実施例では、記録済みの映像データに対してシナリオデータと映像データとを関連付ける方法を説明する。なお、映像記録装置１０１とメタデータ記録装置１０２とを１つの装置にて実現して、映像データの記録とともに、映像データとシナリオデータとをファイル名等により関連付けて映像データを記録する方法でもよい（広く一般的に知られている技術で実現可能なため具体的な説明は省略する）。映像記述メタデータ入力手段１２０は、例えば、図１３に示すように、シナリオファイルに記録されている各シーンのシーン名（５０１）と、映像データのファイル名（５０２）とを表示する。この表示されたシーン名と映像データのファイル名とをそれぞれ選択し、決定釦５０３を押下することにより、この選択からシナリオデータと関連付けるクリップを決定する。上述した処理にてシナリオデータと映像データとの関連付を行う。
【００６６】
図１４に図４（２）に示す例の収録工程におけるメタデータファイルについての時間的経過の1部分の例を示す。図１４（１）は、収録工程における第１のステップ終了後のメタデータファイルの1例である。＜ＳｃｏｐｅＭｅｔａ＞と＜／ＳｃｏｐｅＭｅｔａ＞とで囲まれる部分は、処理対象指定メタデータを表し、収録工程に対応する処理対象指定メタデータである「ＳＴＥＰ１」という文字列を記録する。＜ＳＴＥＰ１＞と＜／ＳＴＥＰ１＞とは、処理対象指定メタデータ「ＳＴＥＰ１」に対応する映像記述メタデータであることを表す識別子であり、＜ＳＴＥＰ１＞と＜／ＳＴＥＰ１＞とで囲まれた部分が処理対象指定メタデータ「ＳＴＥＰ１」に対応した映像記述メタデータの内容である。また、＜Ｄａｔｅ＞と＜／Ｄａｔｅ＞とで囲まれた部分は、操作日時であり、収録工程ではメタデータファイルを作成した日時を記録すればよい。なお、操作日時は、Ｒｅａｌ  Ｔｉｍｅ  Ｃｌｏｃｋ機能を有する集積回路（ＲＴＣ）を搭載すれば取得可能である。また、＜ＣｌｉｐＮａｍｅ＞と＜／ＣｌｉｐＮａｍｅ＞とに囲まれた部分は、映像記述メタデータの１つであるクリップ名を表す。クリップ名の内容は、収録工程では映像データと関連付けされたシーンに対するシナリオデータのシーン名（すなわち、シナリオファイルにおける＜ＳｃｅｎｅＮａｍｅ＞と＜／ＳｃｅｎｅＮａｍｅ＞とに囲まれた部分）と同一の文字列を記録する。メタデータファイルのファイル名は、シナリオデータと関連付けられた映像データファイルのファイル名に対して拡張子をｘｍｌに変更して生成する。例えば、映像データファイル名がＣＬＩＰ０００１．ｙｕｖであれば、メタデータファイル名をＣＬＩＰ０００１．ｘｍｌとする。このファイル名により映像データファイルとメタデータファイルとの関連付けを行う。また、本実施例では、第１のステップではＬｉｎｋＰｏｉｎｔは記録しない。
【００６７】
第２のステップでは、第１のステップで作成されたメタデータファイルに対して、収録工程における新たな映像記述メタデータを追記する。これらの映像記述メタデータは、収録工程を表す処理対象指定メタデータ「ＳＴＥＰ２」に関連付ける。図１４（２）は収録工程における第２のステップ終了後のメタデータファイルの1例である。第２のステップでは、＜ＳＴＥＰ２＞と＜／ＳＴＥＰ２＞とに囲われた部分を新たに追記する。なお、追記前（すなわち、映像制作における前工程）の映像記述メタデータは、例えば、履歴あるいは次候補として、処理対象指定メタデータと関連付けられて保持される。これは、映像制作工程において手戻りが発生した等、クリップにおけるメタデータの操作履歴として映像制作工程を遡りたい場合や、名称や編集点等の映像記述メタデータの候補が複数ある場合に、処理対象指定メタデータを変更するのみで任意の工程の映像記述メタデータが取得できるため有効である。
【００６８】
第２のステップにおける映像記述メタデータの追記方法を説明する。まず、利用者は、処理対象指定メタ入力手段１２２を介して、新たな処理対象指定メタデータの入力を行う。処理対象指定メタ入力手段１２２は、例えば、図５（１）に示すように処理対象指定メタ表示／選択部３００を備える構成とする。処理対象指定メタ表示／選択部３００は、例えば、図１２に示すようにプルダウンメニュー形式にて、該当する処理対象指定メタデータ（例えば、収録工程では「ＳＴＥＰ２」）を選択する構成とする。処理対象指定メタ入力手段１２２は、プルダウン釦４０１を表示し、利用者の入力よりプルダウン釦４０１が利用者により押下されると、プルダウンメニュー４０２を表示して、利用者は、表示された選択肢から処理対象指定メタを入力する。表示される選択肢は、すべての処理対象指定メタデータ（例えば、「ＳＴＥＰ１」から「ＳＴＥＰ５」まで）を表示すればよい。また、処理対象指定メタデータ入力手段１２２は、入力した処理対象指定メタデータを処理対象指定メタデータ生成手段１２３に提供する。処理対象指定メタデータ生成手段１２３は、処理対象指定メタデータを処理対象指定メタデータ入力手段１２２にて入力されたデータ（文字列）に変更する。すなわち、例えば、収録工程における第２のステップでは、図１４（２）に示す例における＜ＳｃｏｐｅＭｅｔａ＞と＜／ＳｃｏｐｅＭｅｔａ＞とで囲まれる部分を「ＳＴＥＰ１」から「ＳＴＥＰ２」に変更する。
【００６９】
映像記述メタデータ入力手段１２０は、例えば、図５（１）に示すようなメタデータ表示部３０２を表示する構成とし、利用者は、表示される映像記述メタデータの各項目に対して映像記述メタデータとしての文字列等の入力を行う。映像記述メタデータ生成手段１２１は、映像記述メタデータ入力手段１２０により入力された映像記述メタデータを、例えば、各映像記述メタデータに対応した識別子（例えば、クリップ名の例では、＜ＣｌｉｐＮａｍｅ＞と＜／ＣｌｉｐＮａｍｅ＞）で囲む等のメタデータ記録形式に変換する。
【００７０】
メタデータ記録手段１２４は、処理対象指定メタデータ生成手段１２３にて生成された処理対象指定メタデータ（メタデータ記録形式）と、映像記述メタデータ生成手段１２１にて生成された映像記述メタデータ郡（メタデータ記録形式）とをまとめて記録媒体１００に記録する。これらの映像記述メタデータは、処理対象指定メタデータと関連付けられて記録する。すなわち、図１４(２)に示すように、例えば、＜ＳＴＥＰ２＞と＜／ＳＴＥＰ２＞とで囲み、映像記述メタデータ郡と処理対象指定メタデータ「ＳＴＥＰ２」とを関連付ける。また、本実施例のメタデータ記録手段１２４は、前工程に対応する映像記述メタデータ（現工程が収録工程「ＳＴＥＰ２」であれば、「ＳＴＥＰ１」に関連付けられた映像記述メタデータ）に追記する形式とする。すなわち、メタデータ記録手段１２４は、記録済みのメタデータファイルを読み出し、このメタデータファイルに対して、新たに処理対象指定メタデータに対応する新たな映像記述メタデータを追記する。本実施例では、処理対象指定メタデータとの関連付けを、＜ＳＴＥＰ２＞と＜／ＳＴＥＰ２＞とで囲む形式で行っているので、新たなメタデータを容易に追記可能である。
【００７１】
次に、収録工程の第２のステップにおける映像記述メタデータとしてのクリップ名と操作日時とＬｉｎｋＰｏｉｎｔとについての処理例を具体的に説明する。収録工程におけるクリップ名については、図１４（２）に示すように企画工程のシナリオデータのシーン名としてのクリップ名「“入場シーン１”」とは別に、例えば、テイク番号を付加した文字列「“入場シーン１（テイク１）”」とする。このクリップ名「“入場シーン１（テイク１）”」は、映像記述メタデータ入力手段１２０を介して利用者が入力する。メタデータ記録手段１２４は、この映像記述メタデータの１つとしてのクリップ名を処理対象指定メタデータ「ＳＴＥＰ２」と関連付ける。すなわち、メタデータファイルにおいて＜ＳＴＥＰ２＞と＜／ＳＴＥＰ２＞とで囲まれた部分に記録する。収録工程の第２のステップにおける操作日時については、ＲＴＣ機能を用いてメタデータファイルを記録する日時を取得して記録すればよい。また、ＬｉｎｋＰｏｉｎｔの名称については、上述したように、利用者が映像記述メタデータ入力手段１２０を介して「“収録開始”」、「“収録終了”」という名称を入力する。次に、映像記述メタデータ生成手段１２１は、入力したＬｉｎｋＰｏｉｎｔの名称とオフセットを関連付けて記録形式のデータを生成する。ここで、ＬｉｎｋＰｏｉｎｔのオフセットは、例えば、それぞれ、記録開始から１００フレーム後（映像データの先頭から１００フレーム）、記録終了から１００フレーム前（記録区間を１１００フレームとすると、ＬｉｎｋＰｏｉｎｔのオフセットは映像データの先頭から１０００フレームとなる）とする。なお、メタデータ記録手段１２４は、収録工程における新たな映像記述メタデータと、処理対象指定メタデータ「ＳＴＥＰ２」とを上述してきたように関連付けて記録する。
【００７２】
以上の収録工程の第１のステップ、第２のステップにて収録工程におけるメタデータファイルが完成する。
【００７３】
仮編集工程における映像記述メタデータとしては、例えば、クリップ名と操作日時とＬｉｎｋＰｏｉｎｔとが挙げられる。図４（２）に示す例では、クリップ名は、収録工程におけるクリップ名「“入場シーン１（テイク１）”」に対して、候補クリップであることを表す「候補１」を付与して、「“入場シーン１（候補１）”」と名称変更する。これは、例えば、仮編集工程における映像データの確認や不要な区間のカット等により、本クリップが本編集に使用される候補となった場合に上述したような名称変更を行う。また、ＬｉｎｋＰｏｉｎｔの名称については、編集開始点の候補を「“編集開始（候補１）”」、編集終了点の候補を「“編集終了（候補１）”」という名称として記録することにする。ＬｉｎｋＰｏｉｎｔのオフセットは、収録工程におけるＬｉｎｋＰｏｉｎｔに基づいて、不要な部分を開始点と終了点とで囲まれる範囲外になるようにして映像データに関連付ける位置（オフセット値）を変更する。例えば、映像データにおける必要な区間の先頭フレームのフレーム数をＦｓｔ＿ｐｒｅｅｄｉｔ、最終のフレームをＦｅｎｄ＿ｐｒｅｅｄｉｔとすると、映像データにおける必要な区間（仮編集区間）ＰｒｅＥｄｉｔは下記の式で表される。
【００７４】
Ｆｓｔ＿ｐｒｅｅｄｉｔ≦ＰｒｅＥｄｉｔ ≦Ｆｅｎｄ＿ｐｒｅｅｄｉｔ
また、このとき、ＬｉｎｋＰｏｉｎｔ「“編集開始（候補１）”」のオフセットをＦｓｔ＿ｐｒｅｅｄｉｔ、ＬｉｎｋＰｏｉｎｔ「“編集終了（候補１）”」のオフセットをＦｅｎｄ＿ｐｒｅｅｄｉｔとすればよい。
【００７５】
また、本クリップが本編集に使用されないことが決まった場合、クリップ名やＬｉｎｋＰｏｉｎｔ等の映像記述メタデータを追記しない。このことにより、本工程以降では、不要のクリップであることが判断できる。この場合、図６に示すクリップ２のように本工程以降の工程では、本工程以降に対応する処理対象指定メタデータに関連付けて、映像記述メタデータを記録しなければよい（図６では、Ｎｏｎｅと記載している）。
【００７６】
仮編集工程におけるメタデータ記録装置１０２のメタデータ記録処理について具体的に説明する。仮編集工程では、収録工程にて記録されたメタデータファイルに対して、処理対象指定メタデータ「ＳＴＥＰ３」に対応する新たな映像記述メタデータを追記する。利用者は、処理対象指定メタデータ入力手段１２２に対して工程の変更、すなわち、処理対象指定メタデータの入力と、映像記述メタデータ入力手段１２０に対して仮編集工程における新たな映像記述メタデータの入力を指示する。処理対象指定メタデータ入力手段１２２や、処理対象指定メタデータ生成手段１２３や、映像記述メタデータ入力手段１２０や、映像記述メタデータ生成手段１２１や、メタデータ記録手段１２４の処理は、収録工程における第２のステップと基本的には同様な処理である。処理の違いは、処理対象指定メタデータが「ＳＴＥＰ３」になることである。
【００７７】
仮編集工程における映像記述メタデータとしてのクリップ名と操作日時とＬｉｎｋＰｏｉｎｔとの処理例を具体的に説明する。クリップ名と操作日時は、処理対象指定メタデータ「ＳＴＥＰ３」に関連付けること以外、収録工程の第２のステップにおけるクリップ名と操作日時の処理方法と同じである。また、ＬｉｎｋＰｏｉｎｔの処理についても基本的な記録処理の流れは同じであるが、オフセットの決定方法やＬｉｎｋＰｏｉｎｔの新規追加方法が異なる。
【００７８】
ＬｉｎｋＰｏｉｎｔの名称は、例えば、「“編集開始（候補１）”」、「“編集終了（候補１）”」という名称に変更する。ＬｉｎｋＰｏｉｎｔのオフセットは、例えば、記録した映像データの全区間を編集するための素材として利用する（編集素材として採用される）場合には、処理対象指定メタデータ「ＳＴＥＰ２」と同じＬｉｎｋＰｏｉｎｔのオフセット値にすればよい（例えば、図７に示す例のようにオフセット（ｆｒａｍｅ数の値）を同じ値とする）。ここで、「“編集開始（候補１）”」、「“編集終了（候補１）”」は、それぞれ、処理対象指定メタデータ「ＳＴＥＰ２」における「“収録開始”」、「“収録終了”」という名称のＬｉｎｋＰｏｉｎｔと対応する。この対応付けは、ＬｉｎｋＰｏｉｎｔのリストの番号や名称等で関連付けを行えばよい。本実施例では、ＬｉｎｋＰｏｉｎｔにおいて１番目に記録されている「“収録開始”」と「“編集開始（候補１）”」とを、２番目に記録されている「“収録終了”」と「“編集終了（候補１）”」とを、ＬｉｎｋＰｏｉｎｔの記録順番と名称に基づいて関連付ける。
【００７９】
また、例えば、記録済みの映像データの全区間を編集素材として利用せずに不要な区間がある場合、映像記述メタデータ生成手段１２１は、ＬｉｎｋＰｏｉｎｔのオフセットを、処理対象指定メタデータ「ＳＴＥＰ２」と同じＬｉｎｋＰｏｉｎｔのオフセット（フレーム値）から変更すればよい。例えば、図９の「“編集開始（候補１）”」の例のようにＬｉｎｋＰｏｉｎｔのオフセットを１２０フレームから１２５フレームに変更する。メタデータ記録装置１０２は、好ましくは、該当するＬｉｎｋＰｏｉｎｔのオフセット近辺の映像データを再生しながら確認できる構成がよい。また、仮編集工程において複数の編集点の候補がある場合（例えば、図９における「“編集終了（候補２）”」のＬｉｎｋＰｏｉｎｔのように）、利用者は、映像記述メタデータ入力手段１２０にて新規のＬｉｎｋＰｏｉｎｔの名称とそのオフセット値を入力し、映像記述メタデータ生成手段１２１は、上述したような方法で新規作成したＬｉｎｋＰｏｉｎｔを追記すればよい。
【００８０】
本編集工程における映像記述メタデータとしては、例えば、クリップ名と操作日時とＬｉｎｋＰｏｉｎｔとが挙げられる。図４（２）に示す例では、クリップ名は、例えば、仮編集工程におけるクリップ名「“入場シーン１（候補１）”」に対して、配布する映像データとして決定したクリップであることを表す「決定」を付与して、「“入場シーン１（決定）”」と変更する。これは、例えば、本編集工程における編集作業や映像データの確認において本クリップを配布するための映像データとして決定した場合等に行われる。また、ＬｉｎｋＰｏｉｎｔの名称は、本編集工程として決定した編集点（編集開始点及び終了点）をそれぞれ「“編集開始（決定）”」、「編集終了（決定）」とする。さらに、ＬｉｎｋＰｏｉｎｔのオフセットは、仮編集工程におけるＬｉｎｋＰｏｉｎｔに基づいて、映像データに関連付ける位置（オフセット値）の調整や変更を行う。ここで、例えば、区間長等を考慮して、配布するための映像データの区間と、「“編集開始（決定）”」と「編集終了（決定）」とで囲まれた区間が一致するようにしておく。
【００８１】
本編集工程におけるメタデータ記録装置１０２のメタデータ記録処理については、仮編集工程における処理と基本的に同じである。処理の違いは、処理対象指定メタデータが「ＳＴＥＰ４」になることである。
【００８２】
オーサリング工程における映像記述メタデータとしては、例えば、クリップ名と操作日時とＬｉｎｋＰｏｉｎｔとが挙げられる。図４（２）に示す例では、クリップ名は、例えば、オーサリング工程におけるＤＶＤ等の配布用記録媒体に記録する全クリップの順番等により、「“チャプター２３／入場“」という名称に変更する。また、ＬｉｎｋＰｏｉｎｔの名称は、本編集工程において配布用映像データとして決定した編集開始点「“編集開始（決定）”」を「“チャプター２３”」と名称変更する。また、ＬｉｎｋＰｏｉｎｔのオフセットは、例えば、名称と同様に「“編集開始（決定）”」におけるオフセット値と同じ値とする。これは、通常、シーンの終了点と、次のシーンの開始点は連続したフレーム（近傍フレーム）であるため、オーサリング工程におけるＬｉｎｋＰｏｉｎｔとしてシーン（クリップ）の開始点のみが適切であることによる。
【００８３】
また、オーサリング工程における別のメタデータ記録方法として、プレイリストを作成する方法が挙げられる。プレイリストとは、映像データの再生順番と、各映像データにおける再生区間を指定するリストである。図１１は、プレイリストファイルの１具体例を示している。本実施例では、プレイリストファイルは、カンマを区切り文字とするＣｏｍｍａ  Ｓｅｐａｒａｔｅｄ  Ｖａｌｕｅｓ（ＣＳＶ）形式のテキストファイルとし、ファイル名を例えば、ＰｌａｙＬｉｓｔ．ｔｘｔをとする。本実施例のプレイリストファイルは、行で映像データの再生順番を表し、１番目の行に記載される映像データファイルから再生を開始するものとする。各行の１番目は、映像データファイル名を表し、２番目は再生開始点、３番目は再生終了点を表す。再生開始点、再生終了点は、例えば、映像データの先頭フレームからのフレーム数を用いて表し、プレイリストにおける各映像データの先頭フレームからのフレーム数を再生オフセットと呼ぶことにする。
【００８４】
なお、本実施例では、配布用記録媒体を記録媒体１００として説明するが、別の記録媒体に記録してもよい。その場合は、映像データやディレクトリ構成等の記録形式を記録媒体１００と同じにしてもよいし、例えば、ＤＶＤ−Ｖｉｄｅｏ等の規格に従って変換してもよい。
【００８５】
オーサリング工程におけるメタデータ記録装置１０２のメタデータ記録処理について具体的に説明する。オーサリング工程では、本編集工程で記録されたメタデータファイルに対して配布用の映像記述メタデータを追記し、メタデータファイルと映像データとを配布用記録媒体に書き込む処理を行う。また、オーサリング工程においては、オーサリングの具体例として、プレイリストを記録しない第１のオーサリング方法と、プレイリストをプレイリストファイルとして記録する第２のオーサリング方法の２つのオーサリング方法の例を説明する。
【００８６】
まず、第１のオーサリング方法について説明する。処理対象指定メタデータ入力手段１２２は、上述した工程における処理と同様に処理対象指定メタデータを「ＳＴＥＰ５」に変更する。映像記述メタデータ入力手段１２０は、例えば、オーサリング対象となる映像データが２３番目のチャプターであるとすると、処理対象指定メタデータ「ＳＴＥＰ５」と関連付けて「“チャプター２３／入場”」というクリップ名を入力する。ここで、チャプターとは、映像の章立ての区切りあり、本実施例では、企画工程におけるシーンと対応する。なお、処理対象指定メタデータ生成手段１２３と、映像記述メタデータ生成手段１２１と、メタデータ記録手段１２４とにおける具体的な処理は仮編集工程等にて説明した処理内容と同様である。また、第１のオーサリング方法においては、映像データから不要な区間を削除することが望ましい。これは、本編集工程（ＳＴＥＰ４）におけるＬｉｎｋＰｏｉｎｔで囲まれる区間以外の映像データを削除すればよい。これは、本編集工程（処理対象指定メタデータ「ＳＴＥＰ４」）におけるＬｉｎｋＰｏｉｎｔ「“編集開始（決定）”」と「“編集終了（決定）”」とで囲まれる区間以外の映像データを削除する。映像データの不要な区間の削除は、カット編集等で映像編集装置にて広く一般的に実現されている技術であるので具体的な説明は省略する。
【００８７】
次に、第２のオーサリング方法について説明する。プレイリストファイルは、メタデータ記録手段１２４において、記録媒体１００に記録されているメタデータファイルの本編集工程（処理対象指定メタデータ「ＳＴＥＰ４」）におけるＬｉｎｋＰｏｉｎｔと、メタデータファイルのファイル名とから作成される。オーサリング工程では、このメタデータファイルには、本編集工程（ＳＴＥＰ４）までの映像記述メタデータが記録されている。
【００８８】
メタデータ記録手段１２４は、読み出したメタデータファイルのファイル名から対応付けられている映像データファイル名を取得する。この映像データファイル名を、プレイリストにおける映像データファイル名としてプレイリストファイルに記録する。この処理を複数のメタデータファイルに対して行い、適宜、ファイル名順や利用者の入力により映像データの再生順番（すなわち、プレイリストの映像データの順番）を決定する。
【００８９】
さらに、メタデータ記録手段１２４は、上記で読み出したメタデータファイルから、本編集工程（処理対象指定メタデータ「ＳＴＥＰ４」）に対応した映像記述メタデータを抽出する。例えば、本実施例では、＜ＳＴＥＰ４＞と＜／ＳＴＥＰ４＞とで囲まれた部分の映像記述メタデータを抽出する。次に、この本編集工程（処理対象指定メタデータ「ＳＴＥＰ４」）に対応した映像記述メタデータからＬｉｎｋＰｏｉｎｔを抽出する。抽出したＬｉｎｋＰｏｉｎｔのオフセットを用いて、処理対象の映像データに対するプレイリストにおける再生開始点及び再生終了点の再生オフセットを決定する。例えば、再生開始点の再生オフセットをＬｉｎｋＰｏｉｎｔ名称「“編集開始（決定）”」に対応するＬｉｎｋＰｏｉｎｔオフセットに、再生終了点の再生オフセットをＬｉｎｋＰｏｉｎｔ名称「“編集終了（決定）”」に対応するＬｉｎｋＰｏｉｎｔオフセットにする。なお、ＬｉｎｋＰｏｉｎｔの名称は、第１のオーサリング方法と同様に「“チャプター２３”」等に変更してもよい。
【００９０】
メタデータ記録手段１２４は、以上の処理によりプレイリストを作成し、プレイリストをプレイリストファイルとして記録媒体１００に記録する。なお、第２のオーサリング方法では、映像データに対する不要な区間の削除等の編集処理を施す必要がないため、編集処理負荷（すなわち、プレイリストを作成する負荷）が低く、映像制作工程全体に対する編集処理時間も短くなる利点がある。なお、プレイリストファイルは、ＣＳＶ形式にて記録する例を説明したが、映像データと、それらの再生順番と、再生開始点と、再生終了点とが規定されれば、ＸＭＬ形式等の他の形式でもよい。さらに、プレイリストファイル名は、任意のファイル名でもよい。また、プレイリストを用いた再生動作の詳細は後述する。
【００９１】
次に、再生装置１０３におけるメタデータの再生処理について、メタデータ再生手段１３２、処理対象指定メタ処理手段１３１、メタデータ表示手段１３０、処理対象指定メタ選択手段１３５における処理の詳細を具体的に説明する。
【００９２】
まず、メタデータ再生手段１３２は、記録媒体１００に記録されているメタデータファイルを読み出し、例えば、図６に示すような構造であるメタデータのマトリクスを作成する。これは、ＸＭＬ形式のメタデータファイルから、識別子とその識別子に囲まれた部分の文字列を抽出してマトリクス化する。メタデータファイルに記録されている映像記述メタデータは、処理対象指定メタデータにより関連付けられているため、メタデータのマトリクスは、図６に示すように、処理対象指定メタデータ毎に分類される。なお、メタデータマトリクスは、処理対象指定メタ処理手段１３１に提供され、処理対象指定メタ処理手段１３１にて保持される。メタデータマトリクスの保持形式は、処理対象指定メタデータに基づいて検索する際に効率的な形式であればよい。
【００９３】
処理対象指定メタ選択手段１３５は、例えば、図１２に示すようなプルダウンメニュー形式を用いて処理対象指定メタデータを選択／入力する。これは、例えば、メタデータ記録装置１０２における処理対象指定メタ入力手段１２２と同じ方法とする。なお、処理対象指定メタ選択手段１３５は、上述した構成により、新たな処理対象指定メタデータを入力するだけでなく、処理対象指定メタデータを変更ことも可能である。これは、利用者が、処理対象指定メタ選択手段１３５を介して異なる処理対象指定メタデータを入力することで実現する。
【００９４】
処理対象指定メタ処理手段１３１は、メタデータ再生手段１３２にて作成されたメタデータのマトリクスの各項目（クリップ名等）と、処理対象指定メタ選択手段１３５により入力された処理対象指定メタデータとから表示用映像記述メタデータ（すなわち、メタデータ表示手段１３０に提供して表示するメタデータ）を決定する。これは、図６に示すような処理対象指定メタデータにより分類されたメタデータマトリクスから、処理対象指定メタ選択手段１３５により入力された処理対象指定メタデータと一致する処理対象指定メタデータに関連付けされた映像記述メタデータを抽出することで実現する。この抽出処理は、メタデータマトリクスが、処理対象指定メタデータと各映像記述メタデータとが関連付けられているため容易に抽出可能である。また、処理対象指定メタ処理手段１３１は、表示用映像記述メタデータと、処理対象指定メタ選択手段１３５にて入力された処理対象指定メタデータとをメタデータ表示手段１３０に提供する。
【００９５】
メタデータ表示手段１３０は、処理対象指定メタ処理手段１３１から供給される表示用映像記述メタデータと処理対象指定メタデータとを利用者に対して表示する。これらを、例えば、図５に示すような構成のＧＵＩ画面を用いて表示する。図５（１）に示すように、ＧＵＩ画面は、処理対象指定メタ表示／選択部３００と、サムネイル画表示部３０１、３０３と、メタデータ表示部３０２、３０４とを含む構成とする。処理対象指定メタ表示／選択部３００に関する処理対象指定メタデータの表示／選択処理等は、上述しており、ここでの説明は省略する。サムネイル画表示部３０１、３０３は、例えば、各クリップにおける映像データの先頭フレームの画像を表示すればよい。また、メタデータ表示部３０２、３０４には、処理対象指定メタ処理手段１３１から供給される表示用映像記述メタデータを表示する。以上の構成により、メタデータ表示部３０２、３０４には、処理対象指定メタ表示／選択部３００にて選択／表示される処理対象指定メタデータに対応した映像記述メタデータ（すなわち、表示用映像記述メタデータ）が表示される。なお、図５（１）に示す例では、２つのクリップに対して、同じ処理対象メタデータに対応する映像記述メタデータが表示されている例を示している。また、図５（２）は、処理対象指定メタ表示／選択部３００にて処理対象指定メタデータを「ＳＴＥＰ３」から「ＳＴＥＰ４」に変更した場合の表示結果を示している。メタデータ表示部３０２、３０４に表示される内容が、処理対象指定メタデータ「ＳＴＥＰ４」に対応した表示用映像記述メタデータに変更されていることがわかる。
【００９６】
次に、再生装置１０３におけるプレイリストファイルに基づく映像再生動作について説明する。記録媒体１００に記録されたプレイリストファイルは、映像再生手段１３３により読み出され、プレイリストファイルに記録されている再生対象の映像データファイルや、その再生順番、各映像データにおける再生区間（再生開始点及び再生終了点）に基づいて、プレイリストに記録された順番に再生される。映像再生手段１３３は、プレイリストに基づき、プレイリストの記載された区間に対応する映像データを、プレイリストの記載された順番に映像表示手段１３４に対してフレーム毎に提供する。例えば、記録媒体１００に図１１に示すプレイリストファイルが記録されていた場合には、1番目に映像データファイル「ＣＬＩＰ０００１．ｙｕｖ」の再生オフセットが１００フレームであるフレームから、再生オフセットが１０００フレームであるフレームまでの区間に対応する映像データを映像表示手段１３４に提供する。また、1番目に映像データファイルの再生が終了した後には、プレイリストの２行目に記録されている映像データファイル「ＣＬＩＰ０００３．ｙｕｖ」において、再生オフセットが１２８フレームであるフレームから、再生オフセットが１０２８フレームであるフレームまでの区間に対応する映像データを、映像表示手段１３４に提供する。映像表示手段１３４は、供給された映像データを利用者に提示する。本実施例では、映像データを非圧縮データとしており、各映像フレームのサイズが固定であるため、再生オフセットから、映像データ中の再生オフセットに対応する映像フレームを容易に特定することができる。これにより、プレイリストに記録される任意の映像データの区間が再生可能である。
【００９７】
なお、プレイリストの別の形式として、映像データにおける再生終了点に対応する映像フレームを再生（表示）しない形式もある。この場合には、再生終了点にける再生オフセットは、再生終了点に対応するＬｉｎｋＰｏｉｎｔのオフセットから、再生終了点が再生されるように（例えば、１フレーム分の）値を加えればよい。例えば、上述の例では、再生終了点を１０２９フレームとすれば、１０２８フレームまで再生されることになる。また、この場合、再生終了点に対応するＬｉｎｋＰｏｉｎｔのオフセットに対して、あらかじめ1フレーム分の値を加えておき、プレイリストの終了点を算出する場合に値を加算しない方法をとってもよい。例えば、映像データにおける必要な区間の先頭フレームのフレーム数をＦｓｔ＿ｅｄｉｔ、最終のフレームをＦｅｎｄ＿ｅｄｉｔとすると、映像データにおける必要な区間（例えば、編集区間）Ｅｄｉｔは下記の式で表される。
【００９８】
Ｆｓｔ＿ｅｄｉｔ≦Ｅｄｉｔ ＜（Ｆｅｎｄ＿ｅｄｉｔ＋１）
また、このとき、プレイリストの開始点に対応するＬｉｎｋＰｏｉｎｔのオフセットをＦｓｔ＿ｅｄｉｔ、終了点に対応するＬｉｎｋＰｏｉｎｔのオフセットを（Ｆｅｎｄ＿ｅｄｉｔ＋１）とすればよい。
【００９９】
以上のように、本実施例の映像処理システムによれば、メタデータによる映像データの検索効率や編集効率を飛躍的に向上させることができ、利用者にとって利便性の高い映像処理システムを実現することができる。
【０１００】
なお、メタデータファイルやシナリオファイルを記録する際に、ＸＭＬ形式にて記録する方法を説明したが、例えば、テキスト形式（ＣＳＶ形式）にて記録する方法や、テキスト形式をバイナリデータ化した形式等で記述しても同様の効果を発揮する。
【０１０１】
なお、映像記録装置１０１、記録媒体１００、メタデータ編集装置１０２、映像再生装置１０３は、それぞれの装置が1つである例を説明したが、どのような装置構成でもよい。例えば、映像記録装置１０１とメタデータ編集装置１０２とを１つの装置としてもよいし、メタデータ記録装置１０２と映像再生装置１０３とを１つの装置としてもよいし、すべてを１つの装置として実現してもよい。メタデータ記録装置１０２と映像再生装置１０３とを１つの装置とする場合には、メタデータ記録装置１０２における映像メタデータ入力手段１２０及び処理対象指定メタ入力手段１２２と、再生装置１０３におけるメタデータ表示手段１３０及び処理対象指定メタ選択手段１３５とにおける実装を共通化できる利点がある。
【０１０２】
なお、記録媒体１００は、１つの記録媒体である構成として説明したが、映像データファイルとメタデータファイル等を別々の記録媒体に記録してもよい。
【０１０３】
なお、メタデータファイルにおいて、各処理対象指定メタデータ（映像制作の各工程）にて映像記述メタデータを追記する方式を説明したが、適宜、映像記述メタデータを削除してもよい。この場合、メタデータ記録手段１２４は、削除したい処理対象指定メタデータに対応する映像記述メタデータの所望の項目を削除する。削除処理としては、削除対象とする処理対象指定メタデータに対応した映像記述メタデータを削除すればよい。この場合には、例えば、処理対象指定メタデータ「ＳＴＥＰ３」に対応する映像記述メタデータを削除する場合には、＜ＳＴＥＰ３＞と＜／ＳＴＥＰ３＞とに囲まれた部分を削除すればよい（識別子も含めて削除する）。また、削除したい処理対象指定メタデータに対応する映像記述メタデータの所望の１つの項目を削除することも可能である。
【０１０４】
なお、本実施例では、映像制作の各工程における映像記述メタデータの１例として同一項目（例えば、クリップ名はどの工程においても存在する）を用いて説明したが、映像制作の各工程において新規の項目を追記してもよい。この場合は、新規の項目に対応する識別子を用いればよい。
【産業上の利用可能性】
【０１０５】
本発明にかかるメタデータ処理装置、映像処理装置及び映像処理システムは、利用者のメタデータを用いた映像データの検索や編集における利便性を飛躍的に向上させるもので、半導体メモリや光ディスク等を応用した映像編集システムや映像編集装置や映像記録再生装置等に広く適用可能である。
【符号の説明】
【０１０６】
１００    記録媒体
１０１    映像記録装置
１０２    メタデータ記録装置
１０３    再生装置
１１０    映像入力手段
１１１    映像記録手段
１２０    映像記述メタデータ入力手段
１２１    映像記述メタデータ生成手段
１２２    処理対象指定メタデータ入力手段
１２３    処理対象指定メタデータ生成手段
１２４    メタデータ記録手段
１３０    メタデータ表示手段
１３１    処理対象指定メタ処理手段
１３２    メタデータ再生手段
１３３    映像再生手段
１３４    映像表示手段
１３５    処理対象指定メタ選択手段
２００    コンテンツディレクトリ
２０１    ビデオ格納用ディレクトリ
２０２    メタデータ格納用ディレクトリ
３００    処理対象指定メタ表示／選択部
３０１    サムネイル画表示部
３０２    メタデータ表示部
３０３    サムネイル画表示部
３０４    メタデータ表示部
４０１    プルダウン釦
４０２    プルダウンメニュー
５００    シナリオデータ関連付け画面
５０１    シーン名表示
５０２    映像データファイル名表示
５０３    決定釦
【図１】
2010252070.tif 000003
【図２】
2010252070.tif 000004
【図３】
2010252070.tif 000005
【図４】
2010252070.tif 000006
【図５】
2010252070.tif 000007
【図６】
2010252070.tif 000008
【図７】
2010252070.tif 000009
【図８】
2010252070.tif 000010
【図９】
2010252070.tif 000011
【図１０】
2010252070.tif 000012
【図１１】
2010252070.tif 000013
【図１２】
2010252070.tif 000014
【図１３】
2010252070.tif 000015
【図１４】
2010252070.tif 000016